(57)【要約】【課題】垂直状態での使用においても、高い振動吸収効率を得ることができるダンパおよび光ディスク装置を提供する。【解決手段】ダンパは、軸方向の一方で光ディスク駆動用モータを取り付けたシャシを保持し、他方で筐体を保持する。ダンパは、側方において寸法を拡大するように突出した突出部を有し、突出部は、その外縁部で筐体に固定された壁面に当接し、突出部の外縁部はその内部よりも剛性が低くなる形状を有している。【選択図】図１
2008223799.tif 000002
【特許請求の範囲】
【請求項１】
軸方向の一方で光ディスク駆動用モータを取り付けたシャシを保持し、他方で筐体を保持するダンパであって、
側方において寸法を拡大するように突出した突出部を有し、
前記突出部は、その外縁部で前記筐体に固定された壁面に当接し、
前記突出部の外縁部はその内部よりも剛性が低い、ダンパ。
【請求項２】
前記突出部の内部は、均一の厚さを有し、前記外縁部は、端部方向に厚さが薄くなっている、請求項１に記載のダンパ
【請求項３】
前記外縁部は、その端部方向にテーパ状である、請求項２に記載のダンパ。
【請求項４】
前記突出部は円板状である、請求項１から３のいずれかに記載のダンパ。
【請求項５】
前記外縁部の断面形状は、その端部方向に半円形状である、請求項４に記載のダンパ。
【請求項６】
前記外縁部は、その外周面に相互に間隔をあけて設けられた複数の突起部を有する、請求項４に記載のダンパ。
【請求項７】
前記突起部は半球状である、請求項６に記載のダンパ。
【請求項８】
前記突起部はリブ状である、請求項６に記載のダンパ。
【請求項９】
前記外縁部と内部とは、材質が異なる、請求項１から４のいずれかに記載のダンパ。
【請求項１０】
請求項１から９のいずれかに記載のダンパを有する光ディスク装置。
【発明の詳細な説明】
【技術分野】
【０００１】
この発明はダンパおよび光ディスク装置に関し、特に、高い振動吸収特性を有するダンパおよび光ディスク装置に関する。
【背景技術】
【０００２】
ＣＤ、ＣＤ−ＲＯＭ、ＤＶＤ、ＤＶＤ−ＲＯＭ等の光ディスク、光磁気ディスク、大容量ＦＤ等の光メディアを駆動する光ディスク装置が、たとえば特開２００１−２５６７６２号公報（特許文献１）に開示されている。図５は光ディスク装置の要部を示す図である。（Ａ）は、平面図であり、（Ｂ）は図（Ａ）において矢印Ｂ−Ｂで示す部分の断面図であり、（Ｃ）は、図（Ａ）において矢印Ｃ−Ｃで示す部分の矢視図である。
【０００３】
図５を参照して、光ディスク装置１０は、筐体１１と、筐体１１の周囲４箇所に設けられた円筒形状のダンパ４０ａ，４０ｂ，４７ａ，４７ｂと、ダンパ４０ａ，４０ｂ，４７ａ，４７ｂに保持されたトラバースシャシ１２とを含む。トラバースシャシ１２上には、図示のない光ディスクを駆動するためのターンテーブル１５およびスピンドルモータ１３と、光ディスクを読取る光ピックアップ１４とが設けられている。
【０００４】
ダンパ４０ａ，４０ｂとダンパ４７ａ，４７ｂとはその形状が異なっている。図５（Ａ）、（Ｂ）はダンパ４０ｂが下方向に位置するように垂直姿勢になるように光ディスク装置を設置した状態を示しているが、ダンパ４０ａと４０ｂの径方向において突出した円板部の外縁部で図示のように筐体に固定された壁面である筐体受け部３０に当接する。このようにダンパ４０ａ，４０ｂを設けることにより、光ディスク装置１０を垂直姿勢にした際に、トラバースシャシ１２が筐体１１に直接接触することを防止している。
【特許文献１】特開２００１−２５６７６２号公報（図１およびそれに関連する記載）
【発明の開示】
【発明が解決しようとする課題】
【０００５】
従来のダンパ４０ａ，４０ｂの形状を図６に示す。図６（Ａ）は、従来のダンパ４０ａ，４０ｂの平面図であり、図６（Ｂ）は、図６（Ａ）において、矢印Ｂ−Ｂで示す部分の断面図である。図６を参照して、従来のダンパ４０は、全体が円筒状であり、径方向に最大寸法を有する上部円板部４１と、その軸方向下部に設けられた、円筒状の突起部４２と、その下部に設けられた下部円板部４３とを有し、上部円板部４１と突起部４２とでトラバースシャシ１２を保持し、突起部４２と下部円板部４３とで、筐体１１を保持している。
【０００６】
しかしながら、図６に示すようなダンパ４０の構成では、光ディスク装置を垂直に設置した時にダンパ４０の上部円板部４１の外縁部と筐体受け部３０との接触の際、ダンパ４０の接触部の形状がソリッドの円板状であるため、剛性が高く、十分な振動吸収性能が得られないという問題があった。
【０００７】
この発明は上記のような問題点を解消するためになされたもので、垂直状態での使用においても、高い振動吸収効率を得ることができるダンパおよび光ディスク装置を提供することを目的とする。
【課題を解決するための手段】
【０００８】
この発明に係るダンパは、軸方向の一方で光ディスク駆動用モータを取り付けたシャシを保持し、他方で筐体を保持する。ダンパは、側方において寸法を拡大するように突出した突出部を有し、突出部は、その外縁部で筐体に固定された壁面に当接し、突出部の外縁部はその内部よりも剛性が低い。
【０００９】
筐体に当接する突出部の外縁部の剛性を内部よりも低くしたため、筐体との当接部での振動の吸収を高めることができる。
【００１０】
その結果、垂直状態での使用においても、高い振動吸収効率を得ることができるダンパを提供できる。
【００１１】
突出部の内部は、均一の厚さを有し、外縁部は、端部方向に厚さが薄くなっていてもよいし、外縁部は、その端部方向にテーパ状であってもよい。
【００１２】
好ましくは、突出部は円板状である。
【００１３】
この場合、外縁部の断面形状は、その端部方向に半円形状であってもよいし、外縁部は、その外周面に相互に間隔をあけて設けられた複数の突起部を有してもよい。
【００１４】
また、突起部は半球状であってもよいし、リブ状であってもよい。
【００１５】
なお、外縁部と内部とは、材質を異ならせてもよい。
【００１６】
この発明の他の局面においては、光ディスク装置は、上記のダンパを有する。
【発明を実施するための最良の形態】
【００１７】
以下、この発明の実施の形態を、図面を参照して説明する。図１はこの発明に係るダンパの一実施の形態を示す図であり、従来の図６に対応する。（Ａ）はダンパ２０の平面図であり、（Ｂ）は、（Ａ）において矢印Ｂ-Ｂで示す部分の断面図である。図１を参照して、この実施の形態にかかるダンパ２０は、図６に示す従来のものに比べて、筐体受け部３０に当接する上部円板部２１の外縁部の剛性をその内部よりも低くした。具体的には、外縁部の断面形状を半円状とした（図において○で囲んだ部分）。それ以外の部分については、図６に示した従来のダンパ４０と同様であるので、対応部分に同一参照符号を付してその説明は省略する。
【００１８】
この実施の形態においては、外縁部の剛性をその内部よりも低くするために、外縁部の形状を上記のような形状とした。その結果、従来に比べて、より高い振動吸収性を有する。また、垂直状態における姿勢保持も可能になる。
【００１９】
図２は、この発明に係るダンパの他の実施の形態を示す図である。（Ａ）はダンパ２２の平面図であり、（Ｂ）は、（Ａ）において矢印Ｂ-Ｂで示す部分の断面図である。
【００２０】
図２を参照して、この実施の形態にかかるダンパ２２は、図１に示したものに比べて、筐体受け部３０に当接する上部円板部２３の外縁部の形状が異なっている。すなわち、この実施の形態におけるダンパ２２においては、上部円板部２３の外縁部の断面形状が外周部にいくほどその厚みが減るテーパ状となっている（図において○で囲んだ部分）。それ以外の部分については、図６に示した従来のダンパ４０と同様であるので、対応部分に同一参照符号を付してその説明は省略する。
【００２１】
この実施の形態においても、筐体受け部３０に当接する部分の剛性を下げることができる。その結果、図１に示したダンパと同様の効果を奏する。
【００２２】
図３は、この発明に係るダンパのさらに他の実施の形態を示す図である。（Ａ）はダンパ２４の平面図であり、（Ｂ）は、（Ａ）において矢印Ｂ-Ｂで示す部分の断面図である。
【００２３】
図３を参照して、この実施の形態にかかるダンパ２４は、上部円板部２５の外縁部に、相互に離れた複数の半球状の突起２６を有する。それ以外の部分については、図６に示した従来のダンパ４０と同様であるので、対応部分に同一参照符号を付してその説明は省略する。
【００２４】
この実施の形態においても、筐体受け部３０に当接する部分の剛性を下げることができる。その結果、図１に説明したダンパと同様の効果を奏する。
【００２５】
図４は、この発明に係るダンパのさらに他の実施の形態を示す図である。（Ａ）はダンパ２７の平面図であり、（Ｂ）は、（Ａ）において矢印Ｂ-Ｂで示す部分の断面図である。
【００２６】
図４を参照して、この実施の形態にかかるダンパ２７は、上部円板部２８の外縁部に、相互に離れた複数のリブ状の突起２９を有する。それ以外の部分については、図６に示した従来のダンパ４０と同様であるので、対応部分に同一参照符号を付してその説明は省略する。
【００２７】
この実施の形態においても、筐体受け部３０に当接する部分の剛性を下げることができる。その結果、図１に説明したダンパと同様の効果を奏する。
【００２８】
なお、上記実施の形態おいては、ダンパの筐体と接触する上部円筒部の形状として様々な例を上げたが、これらに限らず、当接部の剛性を下げることができれば、任意の形状を採用できる。また、形状に限らず、外縁部の剛性を下げるように、外縁部とその内部との材料を変えるようにしてもよい。また、外縁部の内部を中空としてその剛性を下げるようにしてもよい。
【００２９】
また、上記実施の形態においては、ダンパの上部円板部と突起部とでトラバースシャシを保持し、下部円板部と突起部とで筐体を保持するようにしたが、これに限らず、ダンパの上部円板部と突起部とで筐体を保持し、下部円板部と突起部とでトラバースシャシを保持するようにしてもよい。
【００３０】
さらに上記実施の形態においては、ダンパの形状を径方向に突出した３箇所を有する円筒状である場合について説明したが、これに限らず、突出部の形状は、矩形状や楕円状や、任意の形状であってもよい。この場合、トラバースシャシや筐体を保持する方向に交わる側方向において寸法を拡大する方向に延在する部分が突出部となる。
【００３１】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３２】
この発明に係るダンパは、垂直姿勢になるよう設置した場合においても振動吸収効性が高いため、それを用いた光ディスク装置等において、有利に利用されうる。
【図面の簡単な説明】
【００３３】
【図１】この発明の一実施の形態に係るダンパを示す図である。
【図２】この発明の他の実施の形態に係るダンパを示す図である。
【図３】この発明のさらに他の実施の形態に係るダンパを示す図である。
【図４】この発明のさらに他の実施の形態に係るダンパを示す図である。
【図５】光ディスク装置の要部を示す図である。
【図６】従来の光ディスクに使用されるダンパを示す図である。
【符号の説明】
【００３４】
１０  光ディスク装置、１１  筐体、１２  トラバースシャシ、１３  スピンドルモータ、１４  光ピックアップ、１５  ターンテーブル、２０  ダンパ、２１  上部円筒板、３０  筐体受け部。
【図１】
2008223799.tif 000003
【図２】
2008223799.tif 000004
【図３】
2008223799.tif 000005
【図４】
2008223799.tif 000006
【図５】
2008223799.tif 000007
【図６】
2008223799.tif 000008